(57)【要約】【課題】横断勾配を有するプレキャストコンクリート床版の継手部のコンクリートの表面を、プレキャストコンクリート床版の表面と面一に、且つ平滑に仕上げる作業の手間を低減できる継手部の充填施工方法を提供する。【解決手段】プレキャストコンクリート床版１０は、横断勾配Ｚを表面部分に備えており、継手部１１のコンクリート１５は、当該継手部１１の上面開口を覆って押え型枠１２を設置し、押え型枠１２と、プレキャストコンクリート床版１０の側面部１０ａと、底型枠１３とによって囲まれる充填空間１４に充填される。押え型枠１２の下面には、空気溜リ部を形成する線状の凹溝１２ａが、継手部１１の上面開口を覆う部分の下面の全域に亘って複数形成されている。コンクリート１５の充填時にコンクリート１５から上方に抜ける空気を、複数の線状の凹溝１２ａに溜めながら、充填空間１４にコンクリート１５を充填する。【選択図】図４
2019120003.tif 000002
【特許請求の範囲】
【請求項１】
連設方向に複数並べて配置されたプレキャストコンクリート床版の継手部にコンクリートを充填して固化させることにより、隣接するプレキャストコンクリート床版を互いに接合する際に用いる継手部の充填施工方法であって、
複数並べて配置されたプレキャストコンクリート床版は、連設方向と垂直な方向に傾斜する横断勾配を表面部分に備えており、継手部のコンクリートは、当該継手部の上面開口を覆って横断勾配の下流側から押え型枠を設置し、設置した押え型枠と、両側のプレキャストコンクリート床版の側面部と、底型枠とによって囲まれる充填空間に、横断勾配の上流側から供給されて充填されるようになっており、
前記押え型枠の前記継手部の上面開口を覆う部分の下面には、空気溜リ部を形成する線状の凹溝が、当該継手部の上面開口を覆う部分の下面の全域に亘って複数形成されており、
コンクリートの充填時にコンクリートから上方に抜ける空気を、複数の前記線状の凹溝に溜めながら、前記充填空間にコンクリートを充填する継手部の充填施工方法。
【請求項２】
前記線状の凹溝は、２〜５ｍｍの溝深さを有するように形成されている請求項１記載の継手部の充填施工方法。
【請求項３】
前記線状の凹溝は、三角形の断面形状を備えるように形成されている請求項１又は２記載の継手部の充填施工方法。
【請求項４】
前記線状の凹溝は、これの延設方向と垂直な方向に並べて複数連接して形成されている請求項１〜３のいずれか１項記載の継手部の充填施工方法。
【請求項５】
前記線状の凹溝は、延設方向をプレキャストコンクリート床版の表面部分の横断勾配の傾斜方向に沿わせるようにして形成されている請求項１〜４のいずれか１項記載の継手部の充填施工方法。
【請求項６】
前記押え型枠は、前記継手部の上面開口を覆って横断勾配の下流側から上流側に順次継ぎ足されて設置されるようになっており、順次継ぎ足された押え型枠と、両側のプレキャストコンクリート床版の側面部と、底型枠とによって囲まれる充填空間に、横断勾配の下流側から上流側に向けてコンクリートが順次充填されるようになっている請求項１〜５のいずれか１項記載の継手部の充填施工方法。
【請求項７】
前記横断勾配の下流側から上流側に順次継ぎ足される前記押え型枠は、下流側の前記押え型枠に形成された線状の凹溝に、上流側の前記押え型枠に形成された線状の凹溝が連通するように配置されて、前記継手部の上面開口を覆って設置されるようになっている請求項６記載の継手部の充填施工方法。
【請求項８】
前記継手部が、１５〜５０ｃｍの幅を有している請求項１〜７のいずれか１項記載の継手部の充填施工方法。
【請求項９】
前記押え型枠が、透明な合成樹脂による成形品となっている請求項１〜８のいずれか１項記載の継手部の充填施工方法。
【発明の詳細な説明】
【技術分野】
【０００１】
本発明は、継手部の充填施工方法に関し、特に、連設方向に複数並べて配置されたプレキャストコンクリート床版の継手部にコンクリートを充填して固化させることにより、隣接するプレキャストコンクリート床版を互いに接合する際に用いる継手部の充填施工方法に関する。
【背景技術】
【０００２】
例えば道路橋においては、老朽化したコンクリート床版を撤去して、新しいコンクリート床版と置き換える工事が、今後益々増大してゆくものと考えられている。道路橋は、橋脚や橋台の上に架設された複数の橋桁に支持させて、これらの橋桁の上にコンクリート床版を設置し、さらにアスファルト舗装を施すことによって形成されるものであり、老朽化した道路橋が構築された当時は、コンクリート床版は、主に現場打ちコンクリートによって形成されていたが、新しいコンクリート床版と置き換える際には、工期の短縮化を図ると共に、道路橋をいち早く開放できるようにするために、予め工場等で精度良く形成されたプレキャスト製のコンクリート床版（以下プレキャストコンクリート床版とする）を用いて、コンクリート床版を形成する工事が主流になっている（例えば、特許文献１参照）。
【０００３】
例えば道路橋のコンクリート床版をプレキャストコンクリート床版を用いて形成する場合、図１に示すように、例えば橋桁５０の延設方向Ｘの幅Ｂが１８０ｃｍ程度、橋桁５０の延設方向Ｘと垂直な方向Ｙの長さＬが１０ｍ程度の大きさとなるように形成された複数のプレキャストコンクリート床版１０を、橋桁５０の延設方向Ｘに例えば幅が２０〜４０ｃｍ程度の間隔の継手部１１を介在させながら、例えば２ｍ程度のピッチで複数並べて設置し、しかる後に継手部１１にコンクリートを供給して固化させることにより、隣接して設置されたプレキャストコンクリート床版１０同士を一体として接合するようになっている。また、各々のプレキャストコンクリート床版１０の幅方向（橋桁の延設方向）の端面には、プレキャストコンクリート床版１０に埋設された鉄筋１６の端部が突出しており（図２参照）、継手部１１において、これらの対向する端面から突出する鉄筋１６の端部をラップさせた状態で、コンクリートを供給して固化させることにより、複数のプレキャストコンクリート床版１０が強固に接合一体化されたコンクリート床版２０を得ることが可能になる。
【先行技術文献】
【特許文献】
【０００４】
【特許文献１】特開２０１７−１７９９２６号公報
【発明の概要】
【発明が解決しようとする課題】
【０００５】
一方、例えば道路橋では、路面に降り注いだ雨水を排水するための例えば１．５〜２％程度の排水勾配を、道路の横断方向に横断勾配として形成する必要があり、また道路の曲線部分では、車両の走行を安定させるための例えば６％程度の道路勾配を、道路の横断方向に横断勾配として形成する必要がある。このため、コンクリート床版２０を形成するプレキャストコンクリート床版１０もまた、表面部分に横断勾配Ｚを備えるように形成される場合があり、表面部分に横断勾配Ｚを備えるプレキャストコンクリート床版１０の継手部１１のコンクリートは、表面部分に横断勾配を備えるように形成する必要がある。
【０００６】
継手部１１のコンクリートを、表面部分に横断勾配Ｚを備えるように形成する際に、施工性を鑑みて、特にコンクリートとして流動性が高くセルフレベリング性に優れた高強度のコンクリートを使用する場合には、継手部１１に供給されたコンクリートは、横断勾配の下流側部分において、表面が水平になろうとすることで、継手部１１の上面開口から溢れ易くなって、コンクリートの表面仕上げを行い難くなる。
【０００７】
このため、従来の工法では、例えば図６に示すように、継手部１１’の上面開口を覆って横断勾配の下流側から押え型枠１２’を設置しておき、設置した押え型枠１２’と、両側のプレキャストコンクリート床版１０’の側面部１０ａ’と、底型枠１３’とによって囲まれる充填空間１４’に、横断勾配の上流側からコンクリート１５’を供給して充填することにより、充填されたコンクリート１５’が継手部１１’から溢れ出ないようにする施工方法が採用されていた。また、図６に示す従来の工法では、押え型枠１２’は、継手部１１’の両側のプレキャストコンクリート床版１０’の端縁部の上面との間に、スペーサ部材３０’を介在させて、プレキャストコンクリート床版１０’の上面や継手部１１’の上面開口よりも、５ｍｍ程度高い位置に下面を配置して、取り付けられるようになっている。これらの両側のスペーサ部材３０’によって挟まれる嵩上げされた部分に、コンクリート１５’が充填空間１４’に充填された際にコンクリート１５’から抜ける空気を逃がすことで、固化した後に嵩上げされた部分のコンクリ―ト１５ａ’を除去して、品質が良好なコンクリート１５’が、プレキャストコンクリート床版１０’の上面よりも下方部分の継手部１１’に、得られるようにしていた。
【０００８】
しかしながら、図６に示す従来の工法では、充填空間１４’に充填されたコンクリート１５’から抜ける空気を逃がすために余分に充填される、両側のスペーサ部材３０’によって挟まれる嵩上げされた部分のコンクリート１５ａ’は、充填されたコンクリート１５’が固化した後に押え型枠１２’やスペーサ部材３０’を取り外した際に、相当の容積を保持したまま、プレキャストコンクリート床版１０’の上面よりも突出した状態で残置されることになるため、このような突出した部分のコンクリート１５ａ’を削り取って継手部１１’の表面を仕上げる作業に、多くの手間を要することになる。
【０００９】
すなわち、例えば道路橋では、形成されたコンクリート床版２０の上面に、アスファルト舗装を施工するのに先立って、防水層を敷設する必要があり、防水層を敷設するには、継手部１１のコンクリート１５の上面（表面）を、予め工場等で精度良く形成された高品質のプレキャストコンクリート床版１０の上面（表面）と面一に、且つ平滑で均一に仕上げる必要がある。このようなことから、プレキャストコンクリート床版１０’の上面よりも突出した部分の継手部１１’のコンクリート１５ａ’は、削り取って表面を仕上げる必要があり、継手部１１’のコンクリート１５ａ’を削り取って表面を仕上げるには、荒削りしたり、研磨したりするなどして、多くの手間を要することになる。また、研磨する際に粉塵や騒音を発生させて、周囲の環境に影響を及ぼすことになる。特に継手部１１’のコンクリート１５’として、流動性が高くセルフレベリング性に優れた高強度のコンクリートを用いた場合には、荒削りしたり、研磨したりする作業を複数回繰り返す必要を生じて、さらに多くの手間を要することになる。
【００１０】
本発明は、横断勾配を有するプレキャストコンクリート床版の継手部のコンクリートの表面を、プレキャストコンクリート床版の表面と面一に、且つ平滑に仕上げる作業の手間を効果的に低減することのできる継手部の充填施工方法を提供することを目的とする。
【課題を解決するための手段】
【００１１】
本発明は、連設方向に複数並べて配置されたプレキャストコンクリート床版の継手部にコンクリートを充填して固化させることにより、隣接するプレキャストコンクリート床版を互いに接合する際に用いる継手部の充填施工方法であって、複数並べて配置されたプレキャストコンクリート床版は、連設方向と垂直な方向に傾斜する横断勾配を表面部分に備えており、継手部のコンクリートは、当該継手部の上面開口を覆って横断勾配の下流側から押え型枠を設置し、設置した押え型枠と、両側のプレキャストコンクリート床版の側面部と、底型枠とによって囲まれる充填空間に、横断勾配の上流側から供給されて充填されるようになっており、前記押え型枠の前記継手部の上面開口を覆う部分の下面には、空気溜リ部を形成する線状の凹溝が、当該継手部の上面開口を覆う部分の下面の全域に亘って複数形成されており、コンクリートの充填時にコンクリートから上方に抜ける空気を、複数の前記線状の凹溝に溜めながら、前記充填空間にコンクリートを充填する継手部の充填施工方法を提供することにより、上記目的を達成したものである。
【００１２】
そして、本発明の継手部の充填施工方法は、前記線状の凹溝が、２〜５ｍｍの溝深さを有するように形成されていることが好ましい。
【００１３】
また、本発明の継手部の充填施工方法は、前記線状の凹溝が、三角形の断面形状を備えるように形成されていることが好ましい。
【００１４】
さらに、本発明の継手部の充填施工方法は、前記線状の凹溝が、これの延設方向と垂直な方向に並べて複数連接して形成されていることが好ましい。
【００１５】
さらにまた、本発明の継手部の充填施工方法は、前記線状の凹溝が、延設方向をプレキャストコンクリート床版の表面部分の横断勾配の傾斜方向に沿わせるようにして形成されていることが好ましい。
【００１６】
また、本発明の継手部の充填施工方法は、前記押え型枠が、前記継手部の上面開口を覆って横断勾配の下流側から上流側に順次継ぎ足されて設置されるようになっており、順次継ぎ足された押え型枠と、両側のプレキャストコンクリート床版の側面部と、底型枠とによって囲まれる充填空間に、横断勾配の下流側から上流側に向けてコンクリートが順次充填されるようになっていることが好ましい。
【００１７】
さらに、本発明の継手部の充填施工方法は、前記横断勾配の下流側から上流側に順次継ぎ足される前記押え型枠が、下流側の前記押え型枠に形成された線状の凹溝に、上流側の前記押え型枠に形成された線状の凹溝が連通するように配置されて、前記継手部の上面開口を覆って設置されるようになっていることが好ましい。
【００１８】
さらにまた、本発明の継手部の充填施工方法は、前記継手部が、１５〜５０ｃｍの幅を有していることが好ましい。
【００１９】
また、本発明の継手部の充填施工方法は、前記押え型枠が、透明な合成樹脂による成形品となっていることが好ましい。
【発明の効果】
【００２０】
本発明の継手部の充填施工方法によれば、横断勾配を有するプレキャストコンクリート床版の継手部のコンクリートの表面を、プレキャストコンクリート床版の表面と面一に、且つ平滑に仕上げる作業の手間を効果的に低減することができる。
【図面の簡単な説明】
【００２１】
【図１】本発明の好ましい一実施形態に係る継手部の充填施工方法が適用される、道路橋にプレキャストコンクリート床版による新しいコンクリート床版を設ける工事を説明する略示斜視図である。
【図２】本発明の好ましい一実施形態に係る継手部の充填施工方法を説明する、図１のＡ部拡大図である。
【図３】複数のプレキャストコンクリート床版を、継手部を介在させて橋桁の延設方向に所定のピッチで複数並べて設置した状態を説明する上面図である。
【図４】本発明の好ましい一実施形態に係る継手部の充填施工方法を説明する、図２のＢ−Ｂに沿った断面図である。
【図５】線状の凹溝に空気が溜められた状態を説明する、図４のＣ部拡大図である。
【図６】従来の継手部の充填施工方法を説明する、図３のＢ−Ｂに沿った断面図である。
【発明を実施するための形態】
【００２２】
本発明の好ましい一実施形態に係る継手部の充填施工方法は、例えば図１に示す道路橋における老朽化したコンクリート床版を撤去して、プレキャストコンクリート床版１０による新しいコンクリート床版２０と置き換える工事において、図２に示すように、隣接するプレキャストコンクリート床版１０の間の継手部１１の上面開口を覆って、押え型枠１２を設置することにより実施される。本実施形態に係る継手部の充填施工方法は、現場打ちによるコンクリートを継手部１１に供給して固化させることにより、隣接するプレキャストコンクリート床版１０同士を接合一体化する際に、継手部１１のコンクリート１５（図４参照）を、両側のプレキャストコンクリート床版１０の側面部１０ａと、底型枠１３と、継手部１１の上面開口を覆う押え型枠１２とによって囲まれる充填空間１４に、横断勾配Ｚの上流側から供給して充填するための施工方法として採用されたものである。
【００２３】
すなわち、本実施形態では、道路橋は、例えば道路の曲線部分を構成する道路橋となっており、形成されるコンクリート床版２０は、道路の横断方向に、片側に傾斜する道路勾配のための例えば６％程度の横断勾配Ｚを有するものとなっている。また、コンクリート床版２０を形成するプレキャストコンクリート床版１０もまた、表面部分に道路勾配のための横断勾配Ｚを備えるように形成されており、これらの横断勾配Ｚを備えるプレキャストコンクリート床版１０の間の継手部１１のコンクリートもまた、表面部分に横断勾配Ｚを備えるように形成する必要がある。
【００２４】
このため、本実施形態では、継手部１１に供給されたまだ固まらない状態のコンクリート１５は、特に流動性が高くセルフレベリング性に優れた高強度のコンクリートが用いられている場合には、横断勾配Ｚの下流側部分において、表面が水平になろうとすることで、継手部１１の上面開口から溢れ易くなることから、継手部１１の上面開口を覆って横断勾配Ｚの下流側から押え型枠１２を設置しておき、設置した押え型枠１２と、両側のプレキャストコンクリート床版１０の側面部１０ａと、底型枠１３とによって囲まれる充填空間１４に、横断勾配Ｚの上流側からコンクリート１５（図４参照）を供給して充填することにより、充填されたコンクリート１５が継手部１１から溢れ出ないようにすることができるようになっている。
【００２５】
また、本実施形態の継手部の充填施工方法は、上述のように押え型枠１２と、両側のプレキャストコンクリート床版１０の側面部１０ａと、底型枠１３とによって囲まれる充填空間１４に、横断勾配Ｚの上流側からコンクリート１５（図４参照）を供給して充填する際に、充填したコンクリート１５から抜ける空気を、プレキャストコンクリート床版１０の上面や継手部１１の上面開口よりも上方に逃がすことができるようにすると共に、充填したコンクリート１５が固化した後に、固化した継手部１１のコンクリートの表面を、プレキャストコンクリート床版１０の表面と面一に、且つ平滑に仕上げる作業の手間を、効果的に低減できるようにする機能を備えている。
【００２６】
そして、本実施形態の継手部の充填施工方法は、図１〜図３に示すように、連設方向である橋桁５０の延設方向Ｘに複数並べて配置されたプレキャストコンクリート床版１０の継手部１１にコンクリート１５を充填して固化させることにより、隣接するプレキャストコンクリート床版１０を互いに接合する際に用いる充填施工方法であって、複数並べて配置されたプレキャストコンクリート床版１０は、連設方向Ｘと垂直な方向Ｙに片側に傾斜する横断勾配Ｚを表面部分に備えており、継手部１１のコンクリート１５は、図４にも示すように、当該継手部１１の上面開口を覆って横断勾配Ｚの下流側から押え型枠１２を設置し(図２参照）、設置した押え型枠１２と、両側のプレキャストコンクリート床版１０の側面部１０ａと、底型枠１３とによって囲まれる充填空間１４に、横断勾配Ｚの上流側から供給されて充填されるようになっている。押え型枠１２の継手部１１の上面開口を覆う部分の下面には、図４に示すように、空気溜リ部を形成する線状の凹溝１２ａが、当該継手部１１の上面開口を覆う部分の下面の全域に亘って複数形成されており、コンクリート１５の充填時にコンクリート１５から上方に抜ける空気を、複数の線状の凹溝１２ａに溜めながら、充填空間１４にコンクリート１５を充填するようになっている。
【００２７】
また、本実施形態では、線状の凹溝１２ａは、好ましくは三角形の断面形状を備えるように形成されており、これの延設方向と垂直な方向に並べて複数連接して形成されている。さらに、線状の凹溝１２ａは、これの延設方向をプレキャストコンクリート床版１０の表面部分の横断勾配Ｚの傾斜方向である、プレキャストコンクリート床版１０の連設方向Ｘと垂直な方向Ｙに、沿わせるようにして形成されている。
【００２８】
本実施形態では、老朽化したコンクリート床版を撤去して、プレキャストコンクリート床版１０による新しいコンクリート床版２０と置き換える工事が行われる道路橋は、例えば高速道路の曲線部分を構成する道路橋となっており、図１に示すように、道路の延長方向に所定の間隔をおいて構築された橋脚５１に支持させて、複数本の橋桁５０が、延設方向Ｘを平行に配置して架設されている。これらの橋桁５０に支持させて、複数のプレキャストコンクリート床版１０が、図２及び図３に示すように、橋桁５０の延設方向Ｘに例えば幅が１５〜５０ｃｍ程度、より好ましくは２０〜４０ｃｍ程度の間隔の継手部１１を介在させながら、例えば２ｍ程度のピッチで複数並べて設置される。プレキャストコンクリート床版１０は、例えば橋桁５０の延設方向Ｘの幅Ｂが１８０ｃｍ程度、橋桁５０の延設方向Ｘと垂直な方向Ｙの長さＬが１０ｍ程度の大きさとなるように形成されており、各々のプレキャストコンクリート床版１０の幅方向（橋桁の延設方向）の端面である側面部１０ａには、プレキャストコンクリート床版１０に埋設された鉄筋１６の端部が突出している。継手部１１において、これらの対向する側面部１０ａから突出する鉄筋１６の端部をラップさせると共に、適宜補強用の鉄筋が配筋されるようになっている。
【００２９】
また、本実施形態では、各々のプレキャストコンクリート床版１０の底面部における、橋桁５０の延設方向Ｘと垂直な方向Ｙに沿った両側の端縁部には、コンクリートを打ち込んだ後に構造物の一部となって解体を要しない型枠となる埋設型枠１３ａが、プレキャストコンクリート床版１０の製造時に両側に張り出すようにして予め取り付けられている（図２、図３参照）。プレキャストコンクリート床版１０を、橋桁５０に支持させて複数並べて設置する際に、各々の継手部１１においてこれらの埋設型枠１３ａを互いに突き合わせることによって、底型枠１３が継手部１１の底面部に形成される。さらに、本実施形態では、継手部１１の横断勾配Ｚの下流側の端部には、プレキャストコンクリート床版１０の橋桁５０の延設方向Ｘと垂直な方向Ｙの端部の側面に沿わせるようにして、妻型枠１７、が公知の方法によって取り付けられている（図２参照）。
【００３０】
そして、本実施形態では、底型枠１３及び妻型枠１７が取り受けられた各々の継手部１１の横断勾配Ｚの下流側から、継手部１１の上面開口を覆って押え型枠１２を設置し、設置した押え型枠１２と、両側のプレキャストコンクリート床版１０の側面部１０ａと、底型枠１３とによって囲まれる充填空間１４に、横断勾配Ｚの上流側から継手部１１のコンクリート１５を供給して充填するようになっている。
【００３１】
ここで、本実施形態では、押え型枠１２は、図４に示すように、例えば橋桁５０の延設方向Ｘに例えば１５〜５０ｃｍ程度の間隔をおいて設けられた継手部１１の幅よりも大きな、例えば３０〜６０ｃｍ程度の幅を備えている。押え型枠１２は、両側の側端部１２ｂの間の部分である、下面側に線状の凹溝１２ａが形成された中間部分を、継手部１１の上面開口を覆ってこれの直上部分に配置した状態で、継手部１１の両側のプレキャストコンクリート床版１０の上に跨がるようにして取り付けられる。押え型枠１２は、例えば１．５ｍ程度の長さを有しており、両側の側端部１２ｂを、両側のプレキャストコンクリート床版１０の側縁部の上に載置した状態で、押え型枠１２の長さ方向に所定の間隔をおいて配設された桟木１８を、押え型枠１２の幅方向に交差させて取り付け、押え型枠１２からはみ出している桟木１８の両端部分から両側のプレキャストコンクリート床版１０に向けて、アンカー部材１９を打ち込むことによって、プレキャストコンクリート床版１０から浮き上がらない状態で固定される。これによって、押え型枠１２と、両側のプレキャストコンクリート床版１０の側面部１０ａと、底型枠１３とによって囲まれる、充填空間１４が形成される。
【００３２】
また、本実施形態では、押え型枠１２は、例えば１．５ｍ程度の長さを有しており、隣接するプレキャストコンクリート床版１０の間の継手部１１は、例えば１０ｍ程度の長さを有していることから、継手部１１の上面開口を覆って横断勾配Ｚの下流側から上流側に順次継ぎ足されて設置されるようになっている（図２参照）。順次継ぎ足された押え型枠１２と、両側のプレキャストコンクリート床版１０の側面部と、底型枠１３とによって囲まれる充填空間１４には、横断勾配Ｚの下流側から上流側に向けてコンクリート１５が順次充填されるようになっている。
【００３３】
さらに、本実施形態では、押え型枠１２は、好ましくは透明な合成樹脂として、例えばアクリルによる成形品であるアクリル板を用いて形成されている。押え型枠１２が、透明な合成樹脂による成形品となっていることにより、充填空間１４にコンクリート１５が充填されてゆく状況を、充填しながら容易に確認することが可能になる。
【００３４】
さらにまた、本実施形態では、上述のように、押え型枠１２の継手部１１の上面開口を覆う部分の下面には、空気溜リ部を形成する線状の凹溝１２ａが、当該継手部１１の上面開口を覆う部分の下面の全域に亘って複数形成されている。ここで、線状の凹溝１２ａは、２〜５ｍｍの溝深さを有するように形成されていることが好ましい。線状の凹溝１２ａが、２ｍｍ以上の溝深さを有していることにより、充填されたコンクリート１５の内部に存在する気泡から抜ける空気を、溝の内部に確実に取り込むことが可能になる。線状の凹溝１２ａが、５ｍｍ以下の溝深さを有していることにより、充填されたコンクリート１５の表面に健全なコンクリート面を確保することが可能になる。
【００３５】
また、本実施形態では、線状の凹溝１２ａは、２〜５ｍｍの溝幅を有するように形成されていることが好ましく、三角形の断面形状を備えるように形成されていることが好ましい。線状の凹溝１２ａが、２〜５ｍｍの溝幅を有していることにより、充填されたコンクリート１５の内部に存在する気泡から抜ける空気を、溝の内部に確実に取り込むことが可能になると共に、充填されたコンクリート１５の表面に健全なコンクリート面を確保することが可能になる。線状の凹溝１２ａが、三角形の断面形状を備えていることにより、気泡から抜けた空気と、充填された健全なコンクリート１５とが、上下分かれた状態で溝の内部に確実に配置されるようにすることが可能になる。なお、線状の凹溝１２ａは、三角形の断面形状を備えている必要は必ずしも無く、半円形状、矩形状、台形状等、その他の種々の断面形状を備えていても良い。
【００３６】
さらに、線状の凹溝１２ａは、これの延設方向と垂直な方向に並べて複数連接して形成されていることが好ましい。これによって、充填されたコンクリート１５の内部に存在する気泡から抜ける空気を、より確実に溝の内部に取り込むことが可能になると共に、充填されたコンクリート１５の表面に健全なコンクリート面を、より確実に確保することが可能になる。また後述するように押え型枠１２を横断勾配Ｚの下流側から上流側に順次継ぎ足して設置した場合でも、気泡から抜ける空気を、継ぎ足された型枠の端部から容易に抜くことが可能になる。線状の凹溝１２ａは、これの延設方向と垂直な方向に並べて複数連接して形成されている必要は必ずしも無く、縦横に交差するように並べて配置されていたり、隣接する線状の凹溝１２ａの間にある程度の間隔を保持した状態で並べて配置されていても良い。
【００３７】
さらにまた、線状の凹溝１２ａは、これの延設方向をプレキャストコンクリート床版１０の表面部分の横断勾配Ｚの傾斜方向に沿わせるようにして形成されていることが好ましい。これによって、コンクリート１５の充填時に、コンクリート１５から上方に抜けて線状の凹溝１２ａに溜められた空気を、当該線状の凹溝１２ａの傾斜によって端部から抜くことで、外気に向けてよりスムーズに排除することが可能になる。
【００３８】
また、本実施形態では、上述のように、押え型枠１２は、継手部１１の上面開口を覆って横断勾配Ｚの下流側から上流側に順次継ぎ足されて設置されるようになっており、横断勾配Ｚの下流側から上流側に順次継ぎ足される押え型枠１２は、下流側の押え型枠１２に形成された線状の凹溝１２ａに、上流側の押え型枠１２に形成された線状の凹溝１２ａが連通するように配置されて、継手部１１の上面開口を覆って設置されるようになっていることが好ましい。これによって、順次継ぎ足された押え型枠１２と、両側のプレキャストコンクリート床版１０の側面部１０ａと、底型枠１３とによって囲まれる充填空間１４に、横断勾配Ｚの下流側から上流側に向けてコンクリートを順次充填して行く際に、継ぎ足された押え型枠１２の間で連通する線状の凹溝１２ａの傾斜によって端部から抜くことで、コンクリート１５から上方に抜けて線状の凹溝１２ａに溜められた空気を、外気に向けてよりスムーズに排除することが可能になる。
【００３９】
本実施形態の継手部の充填施工方法では、上述の構成を備える、継手部１１の上面開口を覆う部分の下面に複数の線状の凹溝１２ａが形成された押え型枠１２を、横断勾配Ｚの下流側から設置して、押え型枠１２と、両側のプレキャストコンクリート床版１０の側面部１０ａと、底型枠１３とによって囲まれる充填空間１４に、横断勾配Ｚの上流側から、好ましくは流動性が高くセルフレベリング性に優れた高強度のコンクリートを、継手部１１のコンクリート１５として供給して充填する。このような高強度のコンクリートとしては、例えば常温硬化型の超高強度繊維補強コンクリートである、商品名「スリムクリート」（株式会社大林組製）を用いることができる。
【００４０】
充填空間１４に供給されたコンクリート１５は、バイブレータ等の公知の振動装置を使用したり、押え型枠１２を木槌で叩いたりすることなどによって振動が加えられて、十分に締め固められると共に、複数の線状の凹溝１２ａが形成された押え型枠１２の下面に上面を密着させた状態で、充填空間１４に充填される。押え型枠１２の下面には、空気溜リ部を形成する線状の凹溝１２ａが、継手部１１の上面開口を覆う部分の全域に亘って複数形成されているので、コンクリート１５の充填時にコンクリート１５から上方に抜ける空気を、複数の線状の凹溝１２ａに溜めながら、充填空間１４にコンクリート１５を充填することが可能になる。
【００４１】
そして、本実施形態の継手部の充填施工方法によれば、横断勾配Ｚを有するプレキャストコンクリート床版１０の継手部１１のコンクリート１５の表面を、プレキャストコンクリート床版１０の表面と面一に、且つ平滑に仕上げる作業の手間を、効果的に低減することが可能になる。
【００４２】
すなわち、本実施形態によれば、継手部１１のコンクリート１５は、当該継手部１１の上面開口を覆って横断勾配Ｚの下流側から押え型枠１２を設置し、設置した押え型枠１２と、両側のプレキャストコンクリート床版１０の側面部１０ａと、底型枠１３とによって囲まれる充填空間１４に、横断勾配Ｚの上流側から供給されて充填されるようになっており、押え型枠１２の継手部１１の上面開口を覆う部分の下面には、空気溜リ部を形成する線状の凹溝１２ａが、当該継手部１１の上面開口を覆う部分の下面の全域に亘って複数形成されており、コンクリート１５の充填時にコンクリート１５から上方に抜ける空気を、複数の線状の凹溝１２ａに溜めながら、充填空間１４にコンクリート１５を充填するようになっている。
【００４３】
これによって、本実施形態によれば、図５に示すように、各々の線状の凹溝１２ａに溜められる空気によって、充填時に各々の線状の凹溝１２ａに侵入しようとするコンクリート１５の量を抑制することで、継手部１１に充填されたコンクリート１５が固化した後に押え型枠１２を取り外した際に、プレキャストコンクリート床版１０の上面よりも突出した状態で残置される固化したコンクリート１５の厚さを小さく、且つ突出するコンクリート１５の量を少なくすることが可能になる。これによって、このような突出した部分のコンクリート１５を荒削りしたり、研磨したりすることによって、継手部１１のコンクリート１５の表面を、プレキャストコンクリート床版１０の表面と面一に、且つ平滑に仕上げる作業の手間を、効果的に低減することが可能になると共に、研磨する際に粉塵や騒音を発生させて、周囲の環境に影響を及ぼすことになるのを、効果的に抑制することが可能になる。
【００４４】
なお、本発明は上記実施形態に限定されることなく種々の変更が可能である。例えば、押え型枠は、透明な合成樹脂による成形品となっている必要は必ずしも無く、不透明が成形品であっても良い。プレキャストコンクリート床版は、道路橋のコンクリート床版を形成するものである必要は必ずしも無く、鉄道橋等のその他の種々のコンクリート床版を形成するものであっても良い。
【符号の説明】
【００４５】
１０  プレキャストコンクリート床版
１０ａ  側面部
１１  継手部
１２  押え型枠
１２ａ  線状の凹溝
１２ｂ  側端部
１３  底型枠
１３ａ  埋設型枠
１４  充填空間
１５  継手部のコンクリート
１６  鉄筋
１７  妻型枠
１８  桟木
１９  アンカー部材
２０  コンクリート床版
５０  橋桁
５１  橋脚
Ｘ  橋桁の延設方向（連設方向）
Ｙ  連設方向（延設方向）と垂直な方向
Ｚ  横断勾配
【図１】
2019120003.tif 000003
【図２】
2019120003.tif 000004
【図３】
2019120003.tif 000005
【図４】
2019120003.tif 000006
【図５】
2019120003.tif 000007
【図６】
2019120003.tif 000008
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
連設方向に複数並べて配置されたプレキャストコンクリート床版の継手部にコンクリートを充填して固化させることにより、隣接するプレキャストコンクリート床版を互いに接合する際に用いる継手部の充填施工方法であって、
複数並べて配置されたプレキャストコンクリート床版は、連設方向と垂直な方向に傾斜する横断勾配を表面部分に備えており、継手部のコンクリートは、当該継手部の上面開口を覆って押え型枠を設置し、設置した押え型枠と、両側のプレキャストコンクリート床版の側面部と、底型枠とによって囲まれる充填空間に、横断勾配の上流側から供給されて充填されるようになっており、
前記押え型枠の前記継手部の上面開口を覆う部分の下面には、空気溜リ部を形成する線状の凹溝が、当該継手部の上面開口を覆う部分の下面の全域に亘って複数形成されており、
コンクリートの充填時にコンクリートから上方に抜ける空気を、複数の前記線状の凹溝に溜めながら、前記充填空間にコンクリートを充填する継手部の充填施工方法。
【請求項２】
前記線状の凹溝は、２〜５ｍｍの溝深さを有するように形成されている請求項１記載の継手部の充填施工方法。
【請求項３】
前記線状の凹溝は、三角形の断面形状を備えるように形成されている請求項１又は２記載の継手部の充填施工方法。
【請求項４】
前記線状の凹溝は、これの延設方向と垂直な方向に並べて複数連接して形成されている請求項１〜３のいずれか１項記載の継手部の充填施工方法。
【請求項５】
前記線状の凹溝は、延設方向をプレキャストコンクリート床版の表面部分の横断勾配の傾斜方向に沿わせるようにして形成されている請求項１〜４のいずれか１項記載の継手部の充填施工方法。
【請求項６】
前記押え型枠は、前記継手部の上面開口を覆って横断勾配の下流側から上流側に順次継ぎ足されて設置されるようになっており、順次継ぎ足された押え型枠と、両側のプレキャストコンクリート床版の側面部と、底型枠とによって囲まれる充填空間に、横断勾配の下流側から上流側に向けてコンクリートが順次充填されるようになっている請求項１〜５のいずれか１項記載の継手部の充填施工方法。
【請求項７】
前記横断勾配の下流側から上流側に順次継ぎ足される前記押え型枠は、下流側の前記押え型枠に形成された線状の凹溝に、上流側の前記押え型枠に形成された線状の凹溝が連通するように配置されて、前記継手部の上面開口を覆って設置されるようになっている請求項６記載の継手部の充填施工方法。
【請求項８】
前記押え型枠が、透明な合成樹脂による成形品となっている請求項１〜７のいずれか１項記載の継手部の充填施工方法。
【手続補正２】
【補正対象書類名】明細書
【補正対象項目名】０００７
【補正方法】変更
【補正の内容】
【０００７】
このため、従来の工法では、例えば図６に示すように、継手部１１’の上面開口を覆って押え型枠１２’を設置しておき、設置した押え型枠１２’と、両側のプレキャストコンクリート床版１０’の側面部１０ａ’と、底型枠１３’とによって囲まれる充填空間１４’に、横断勾配の上流側からコンクリート１５’を供給して充填することにより、充填されたコンクリート１５’が継手部１１’から溢れ出ないようにする施工方法が採用されていた。また、図６に示す従来の工法では、押え型枠１２’は、継手部１１’の両側のプレキャストコンクリート床版１０’の端縁部の上面との間に、スペーサ部材３０’を介在させて、プレキャストコンクリート床版１０’の上面や継手部１１’の上面開口よりも、５ｍｍ程度高い位置に下面を配置して、取り付けられるようになっている。これらの両側のスペーサ部材３０’によって挟まれる嵩上げされた部分に、コンクリート１５’が充填空間１４’に充填された際にコンクリート１５’から抜ける空気を逃がすことで、固化した後に嵩上げされた部分のコンクリ―ト１５ａ’を除去して、品質が良好なコンクリート１５’が、プレキャストコンクリート床版１０’の上面よりも下方部分の継手部１１’に、得られるようにしていた。
【手続補正３】
【補正対象書類名】明細書
【補正対象項目名】００１１
【補正方法】変更
【補正の内容】
【００１１】
本発明は、連設方向に複数並べて配置されたプレキャストコンクリート床版の継手部にコンクリートを充填して固化させることにより、隣接するプレキャストコンクリート床版を互いに接合する際に用いる継手部の充填施工方法であって、複数並べて配置されたプレキャストコンクリート床版は、連設方向と垂直な方向に傾斜する横断勾配を表面部分に備えており、継手部のコンクリートは、当該継手部の上面開口を覆って押え型枠を設置し、設置した押え型枠と、両側のプレキャストコンクリート床版の側面部と、底型枠とによって囲まれる充填空間に、横断勾配の上流側から供給されて充填されるようになっており、前記押え型枠の前記継手部の上面開口を覆う部分の下面には、空気溜リ部を形成する線状の凹溝が、当該継手部の上面開口を覆う部分の下面の全域に亘って複数形成されており、コンクリートの充填時にコンクリートから上方に抜ける空気を、複数の前記線状の凹溝に溜めながら、前記充填空間にコンクリートを充填する継手部の充填施工方法を提供することにより、上記目的を達成したものである。
【手続補正４】
【補正対象書類名】明細書
【補正対象項目名】００１８
【補正方法】削除
【補正の内容】
【手続補正５】
【補正対象書類名】明細書
【補正対象項目名】００２４
【補正方法】変更
【補正の内容】
【００２４】
このため、本実施形態では、継手部１１に供給されたまだ固まらない状態のコンクリート１５は、特に流動性が高くセルフレベリング性に優れた高強度のコンクリートが用いられている場合には、横断勾配Ｚの下流側部分において、表面が水平になろうとすることで、継手部１１の上面開口から溢れ易くなることから、継手部１１の上面開口を覆って好ましくは横断勾配Ｚの下流側から押え型枠１２を設置しておき、設置した押え型枠１２と、両側のプレキャストコンクリート床版１０の側面部１０ａと、底型枠１３とによって囲まれる充填空間１４に、横断勾配Ｚの上流側からコンクリート１５（図４参照）を供給して充填することにより、充填されたコンクリート１５が継手部１１から溢れ出ないようにすることができるようになっている。
【手続補正６】
【補正対象書類名】明細書
【補正対象項目名】００２６
【補正方法】変更
【補正の内容】
【００２６】
そして、本実施形態の継手部の充填施工方法は、図１〜図３に示すように、連設方向である橋桁５０の延設方向Ｘに複数並べて配置されたプレキャストコンクリート床版１０の継手部１１にコンクリート１５を充填して固化させることにより、隣接するプレキャストコンクリート床版１０を互いに接合する際に用いる充填施工方法であって、複数並べて配置されたプレキャストコンクリート床版１０は、連設方向Ｘと垂直な方向Ｙに片側に傾斜する横断勾配Ｚを表面部分に備えており、継手部１１のコンクリート１５は、図４にも示すように、当該継手部１１の上面開口を覆って押え型枠１２を設置し(図２参照）、設置した押え型枠１２と、両側のプレキャストコンクリート床版１０の側面部１０ａと、底型枠１３とによって囲まれる充填空間１４に、横断勾配Ｚの上流側から供給されて充填されるようになっている。押え型枠１２の継手部１１の上面開口を覆う部分の下面には、図４に示すように、空気溜リ部を形成する線状の凹溝１２ａが、当該継手部１１の上面開口を覆う部分の下面の全域に亘って複数形成されており、コンクリート１５の充填時にコンクリート１５から上方に抜ける空気を、複数の線状の凹溝１２ａに溜めながら、充填空間１４にコンクリート１５を充填するようになっている。
【手続補正７】
【補正対象書類名】明細書
【補正対象項目名】００３０
【補正方法】変更
【補正の内容】
【００３０】
そして、本実施形態では、底型枠１３及び妻型枠１７が取り付けられた各々の継手部１１の好ましくは横断勾配Ｚの下流側から、継手部１１の上面開口を覆って押え型枠１２を設置し、設置した押え型枠１２と、両側のプレキャストコンクリート床版１０の側面部１０ａと、底型枠１３とによって囲まれる充填空間１４に、横断勾配Ｚの上流側から継手部１１のコンクリート１５を供給して充填するようになっている。
【手続補正８】
【補正対象書類名】明細書
【補正対象項目名】００３９
【補正方法】変更
【補正の内容】
【００３９】
本実施形態の継手部の充填施工方法では、上述の構成を備える、継手部１１の上面開口を覆う部分の下面に複数の線状の凹溝１２ａが形成された押え型枠１２を、好ましくは横断勾配Ｚの下流側から設置して、押え型枠１２と、両側のプレキャストコンクリート床版１０の側面部１０ａと、底型枠１３とによって囲まれる充填空間１４に、横断勾配Ｚの上流側から、好ましくは流動性が高くセルフレベリング性に優れた高強度のコンクリートを、継手部１１のコンクリート１５として供給して充填する。このような高強度のコンクリートとしては、例えば常温硬化型の超高強度繊維補強コンクリートである、商品名「スリムクリート」（株式会社大林組製）を用いることができる。
【手続補正９】
【補正対象書類名】明細書
【補正対象項目名】００４２
【補正方法】変更
【補正の内容】
【００４２】
すなわち、本実施形態によれば、継手部１１のコンクリート１５は、当該継手部１１の上面開口を覆って好ましくは横断勾配Ｚの下流側から押え型枠１２を設置し、設置した押え型枠１２と、両側のプレキャストコンクリート床版１０の側面部１０ａと、底型枠１３とによって囲まれる充填空間１４に、横断勾配Ｚの上流側から供給されて充填されるようになっており、押え型枠１２の継手部１１の上面開口を覆う部分の下面には、空気溜リ部を形成する線状の凹溝１２ａが、当該継手部１１の上面開口を覆う部分の下面の全域に亘って複数形成されており、コンクリート１５の充填時にコンクリート１５から上方に抜ける空気を、複数の線状の凹溝１２ａに溜めながら、充填空間１４にコンクリート１５を充填するようになっている。